(57)【要約】【課題】広い範囲に画像を見やすく表示し、衝撃や環境変動等に対する耐性に優れた表示装置を提供すること。【解決手段】第１の透明基板と、前記第１の透明基板との間で周縁に配設されるスペーサを挟み、中空層を介して前記第１の透明基板に対して非平行に対向配置される第２の透明基板と、前記第１の透明基板の前記中空層側の面に設けられる第１のディスプレイとを有する表示装置。【選択図】図１
2015072304.tif 000002
【特許請求の範囲】
【請求項１】
第１の透明基板と、
前記第１の透明基板の周縁に配設されるスペーサを挟み、中空層を介して前記第１の透明基板に対して非平行に対向配置される第２の透明基板と、
前記第１の透明基板の前記中空層側の面に設けられる第１のディスプレイとを有する
ことを特徴とする表示装置。
【請求項２】
前記第２の透明基板の前記中空層側の面に第２のディスプレイを有する
ことを特徴とする請求項１に記載の表示装置。
【請求項３】
前記中空層は、前記第１の透明基板、前記第２の透明基板、前記スペーサ及び前記スペーサの周縁部に設けられるシール層により密閉されている
ことを特徴とする請求項１又は２に記載の表示装置。
【請求項４】
前記中空層には、空気又は不活性ガスが充填されている
ことを特徴とする請求項１から３の何れか一項に記載の表示装置。
【請求項５】
前記スペーサは、貫通孔により前記中空層に連通する中空部に乾燥剤を有する
ことを特徴とする請求項１から４の何れか一項に記載の表示装置。
【請求項６】
前記第１の透明基板の前記中空層とは反対側の面及び前記第２の透明基板の前記中空層とは反対側の面の少なくとも一方に反射防止膜を有する
ことを特徴とする請求項１から５の何れか一項に記載の表示装置。
【請求項７】
第１の透明基板と、
前記第１の透明基板との間で周縁に配設されるスペーサを挟み、中空層を介して前記第１の透明基板に対して非平行に対向配置される第２の透明基板とを有する
ことを特徴とする複層パネル。
【請求項８】
第１の透明基板と、前記第１の透明基板に対して非平行に対向配置される第２の透明基板との間の周縁に配設される複層パネル用スペーサであって、
前記第１の透明基板に沿う面と、前記第２の透明基板に沿う面とが非平行である
ことを特徴とする複層パネル用スペーサ。
【発明の詳細な説明】
【技術分野】
【０００１】
本発明は、表示装置、複層パネル及び複層パネル用スペーサに関する。
【背景技術】
【０００２】
例えば鉄道車両内に中吊り広告の代わりに設置可能であり、画像を表示するディスプレイを備える垂下式の表示装置が開示されている（例えば、特許文献１参照）。この様な表示装置によれば、商品の宣伝広告に限らず、運行情報や各種ニュース等の画像をディスプレイに表示して乗客に知らせることができる。
【先行技術文献】
【特許文献】
【０００３】
【特許文献１】特開２００６−２７６４０２号公報
【発明の概要】
【発明が解決しようとする課題】
【０００４】
しかしながら、例えば表示装置が中吊り広告の様に車両天井に設けられると、乗客はディスプレイを見上げる状態になり、ディスプレイの表示面の設置角度によっては、乗客から画像が見え難くなる場合がある。例えば、表示面が水平面に対して略垂直に設けられると、表示装置の直下付近にいる乗客からはディスプレイが見難くなる可能性がある。また、例えば電車の車両内では、乗客の体や荷物等との接触による衝撃や、温度や湿度といった環境変動の影響で、ディスプレイが故障する可能性がある。
【０００５】
本発明は上記に鑑みてなされたものであって、広い範囲に画像を見やすく表示し、衝撃や環境変動等に対する耐性に優れた表示装置を提供することを目的とする。
【課題を解決するための手段】
【０００６】
本発明の一態様の表示装置によれば、第１の透明基板と、前記第１の透明基板との間で周縁に配設されるスペーサを挟み、中空層を介して前記第１の透明基板に対して非平行に対向配置される第２の透明基板と、前記第１の透明基板の前記中空層側の面に設けられる第１のディスプレイとを有する。
【発明の効果】
【０００７】
本発明の実施形態によれば、広い範囲に画像を見やすく表示し、衝撃や環境変動等に対する耐性に優れた表示装置を提供できる。
【図面の簡単な説明】
【０００８】
【図１】実施形態に係る表示装置を例示する斜視図である。
【図２】実施形態に係る表示装置の断面を例示する概略図である。
【図３】実施形態に係る表示装置の透明基板及びスペーサの構成を例示する図である。
【図４】実施形態に係る表示装置の断面を拡大して例示する概略図である。
【発明を実施するための形態】
【０００９】
以下、図面を参照して発明を実施するための形態について説明する。各図面において、同一構成部分には同一符号を付し、重複した説明を省略する場合がある。
【００１０】
（表示装置の構成）
実施形態に係る表示装置１００の構成について図面に基づいて説明する。図１は、表示装置１００を例示する斜視図であり、図２は、図１のＡ−Ａ'断面を例示する概略図である。なお、以下に示す図面において、Ｘ方向は表示装置１００の幅方向、Ｙ方向は奥行き方向、Ｚ方向は高さ方向を示している。
【００１１】
表示装置１００は、図１及び図２に示す様に、第１の透明基板としての透明基板１１、第２の透明基板としての透明基板１２、第１のディスプレイとしてのディスプレイ２１、第２のディスプレイとしてのディスプレイ２２、スペーサ３０、枠体１５を有する。
【００１２】
（透明基板）
透明基板１１及び透明基板１２は、周縁に設けられるスペーサ３０を挟み、中空層２５を介して非平行に対向配置されている複層パネルである。透明基板１１の中空層２５側の面と、透明基板１２の中空層２５側の面とがなす角は、例えば１０〜１２０°である。透明基板１１及び透明基板１２のＺ方向に対する傾斜は異なってもよく、Ｙ方向に対する傾斜が異なってもよい。また、Ｙ方向における透明基板１１と透明基板１２との間隔は、例えば図２における上端側が５ｍｍ以上、下端側は３ｍｍ以上である。
【００１３】
透明基板１１，１２がガラスの場合は、例えばソーダライムガラス、アルミノシリケートガラス、アルミノボロシリケートガラス、無アルカリガラス等であるが、これらに限られない。また、透明基板１１，１２が樹脂の場合は、透明性の高い材料が好ましく、例えばポリカーボネート樹脂、アクリル樹脂等が挙げられる。樹脂基板の場合には、耐擦傷性向上のために、表面にハードコート層が設けられていてもよい。また、透明基板１１，１２は、合わせガラスであってもよい。透明基板１１，１２の厚さは、例えば２〜６ｍｍ程度である。
【００１４】
また、透明基板１１，１２がガラスの場合は、例えば化学強化処理又は物理強化処理等の表面強化処理が施されていてもよい。この様な表面強化処理が施されている場合には、ガラスである透明基板１１，１２の強度が向上するため、透明基板１１，１２はより薄くてもよい。
【００１５】
（中空層）
透明基板１１と透明基板１２との間には、中空層２５が形成されている。中空層２５は、周囲がスペーサ３０等により囲まれて密閉され、外部環境からは遮断されている。中空層２５には、例えば空気又は不活性ガス等が充填されている。
【００１６】
（ディスプレイ）
ディスプレイ２１，２２は、例えば液晶ディスプレイ装置、有機ＥＬディスプレイ装置、プラズマディスプレイ装置等であり、ディスプレイ２１は透明基板１１に設けられ、ディスプレイ２２は透明基板１２に設けられている。
【００１７】
ディスプレイ２１は、表示面が透明基板１１の中空層２５側の面に接合されている。また、ディスプレイ２２は、表示面が透明基板１２の中空層２５側の面に接合されている。ディスプレイ２１，２２の表示面がそれぞれ透明基板１１，１２に密接されることで、外部からディスプレイ２１，２２に表示される画像をより鮮明に見ることが可能になる。
【００１８】
ディスプレイ２１，２２は、例えば商品等の宣伝広告や、各種案内等の静止画、動画等の画像を表示する。ディスプレイ２１，２２が表示する画像は、例えば不図示の記憶装置に記憶されている画像、あるいはネットワークを介して接続するコンピュータやサーバ等から送信される画像である。
【００１９】
ディスプレイ２１，２２は、表示装置１００の透明基板１１，１２の間の中空層２５に設けられることで、外部の人や物に直接接触することがない。また、表示装置１００に人や物が接触しても、透明基板１１，１２によりディスプレイ２１，２２への衝撃が緩和される。したがって、ディスプレイ２１，２２が破損、故障等する可能性が低減されている。
【００２０】
なお、ディスプレイ２１，２２は、それぞれ透明基板１１，１２の略全面に設けられてもよく、あるいは透明基板１１，１２の一部に設けられてもよい。さらに、ディスプレイ２１，２２は、それぞれ透明基板１１，１２に複数設けられてもよい。あるいは、ディスプレイ２１，２２のうち一方だけが設けられてもよい。
【００２１】
（透明基板とディスプレイとの接合）
ディスプレイ２１，２２は、例えば透明接着剤又は透明粘着剤（以下、総称して透明接着剤という）、透明接着テープ又は透明粘着テープ等により、それぞれ透明基板１１，１２に貼り付けられている。透明接着剤としては、例えば透明樹脂や、液状の硬化性樹脂組成物等が用いられる。
【００２２】
例えば硬化性樹脂組成物を用いる場合には、まず透明基板１１，１２の中空層２５側の面に未硬化の樹脂組成物を塗布する。塗布された樹脂組成物の上に、それぞれディスプレイ２１，２２を配置した後、樹脂組成物を硬化させることで、透明基板１１，１２とディスプレイ２１，２２とを接合できる。
【００２３】
透明接着剤は、２５℃におけるせん断弾性率が、例えば１０３Ｐａ〜１０７Ｐａであることが好ましく、１０４Ｐａ〜１０６Ｐａであることがより好ましい。特に、透明接着剤の２５℃におけるせん断弾性率が１０４Ｐａ〜１０５Ｐａである場合には、透明基板１１，１２及びディスプレイ２１，２２との接合の際に生じ得る空隙を比較的容易に消失させることができる。
【００２４】
透明接着剤の２５℃におけるせん断弾性率が１０３Ｐａ以上の場合には、塗布された透明接着剤の形状が維持される。したがって、塗布された透明接着剤の厚さが比較的厚い場合であっても、透明接着剤全体で厚さが均一に維持され、透明基板１１，１２とディスプレイ２１，２２との接合時に、ディスプレイ２１，２２と透明接着剤との界面に空隙が発生し難くなる。
【００２５】
また、透明接着剤は、２５℃におけるせん断弾性率が１０４Ｐａ以上で変形が抑制され、２５℃におけるせん断弾性率が１０７Ｐａ以下で透明基板１１，１２とディスプレイ２１，２２との接合密着性が向上する。
【００２６】
透明接着剤層の厚さは、例えば０．０３ｍｍ〜２ｍｍが好ましく、０．１ｍｍ〜０．８ｍｍがより好ましい。透明接着剤の厚さが０．０３ｍｍ以上であれば、透明基板１１，１２の外側から外力等が加わった際に、透明接着剤が外力による衝撃を十分に低減し、ディスプレイ２１，２２を保護できる。また、透明基板１１，１２とディスプレイ２１，２２との間に、透明接着剤の厚さ未満の寸法の異物が混入しても、透明接着剤の厚さが変化しないため、異物混入による光透過性能への影響が抑制される。また、ディスプレイ２１，２２の表示画面の視認性が低下するため、透明接着剤層の厚さは２ｍｍ以下であることが好ましい。
【００２７】
なお、透明接着剤は、単一の層としてではなく、平面視中央部分の層状部と、層状部の周囲を取り囲む堰状部とで構成されてもよい。堰状部は、例えば透明基板１１，１２上で、液状の硬化性樹脂組成物から透明接着剤を形成する際に、硬化性樹脂組成物が所定の範囲を超えて、外方に広がることを抑制する（すなわち、層状部用の液状の硬化性樹脂組成物の流出を堰き止める）。堰状部は、中央部分の層状部を構成する硬化性樹脂組成物とは異なる硬化性樹脂組成物で形成されてもよい。
【００２８】
（反射防止膜）
図２に示す様に、透明基板１１，１２の中空層２５とは反対側の面には、反射防止膜４０が設けられている。反射防止膜４０は、例えばシリケートや金属酸化物の薄膜を所定膜厚でスパッタリング法、蒸着法、湿式コーティング法等にて透明基板１１，１２の外側表面に直接形成される。あるいは、反射防止膜４０は、フッ素樹脂などの低屈折率の樹脂薄膜を、粘着層などを介して透明基板１１，１２の外側表面に張り合わせることで形成される。特に最外層にフッ素樹脂を有する反射防止膜４０は、透明基板に防汚性能や易清浄性を付与できるため好ましい。この様な反射防止膜４０によって反射が抑制され、外部からディスプレイ２１，２２に表示される画像をより鮮明に見ることが可能になる。
【００２９】
なお、反射防止膜４０は、使用環境に応じて透明基板１１，１２の何れか一方に設けられてもよい。
【００３０】
（スペーサ）
図３は、実施形態に係る表示装置１００の透明基板１１，１２及びスペーサ３０の構成を例示する図である。
【００３１】
図３に示す様に、スペーサ３０は、下スペーサ３０ａ、上スペーサ３０ｂ、サイドスペーサ３０ｃ，３０ｄを有する。各スペーサ３０ａ，３０ｂ，３０ｃ，３０ｄは、それぞれジョイント３１ａ，３１ｂ，３１ｃ，３１ｄにより連結されている。下スペーサ３０ａのＹ方向の幅は、上スペーサ３０ｂのＹ方向の幅よりも小さい。また、サイドスペーサ３０ｃ，３０ｄは、Ｙ方向の幅が下スペーサ３０ａ側よりも上スペーサ３０ｂ側の方が大きい略三角形状に設けられている。
【００３２】
スペーサ３０及びジョイント３１は、透明基板１１に沿う面と、透明基板１２に沿う面とが非平行に設けられている。透明基板１１，１２は、この様なスペーサ３０及びジョイント３１を間に挟み込むことで、非平行に対向配置される。
【００３３】
図４は、図１に例示する表示装置１００のＡ−Ａ'断面の下スペーサ３０ａ側の拡大図である。
【００３４】
図４に示す様に、下スペーサ３０ａは、例えばアルミニウムを主材料とする金属材料で内部に中空部３２を有し、シリカゲル等の乾燥剤３３を中空部３２に収納する。また、スペーサ３０の中空層２５側の面には貫通孔３４が設けられ、貫通孔３４を介して中空層２５に存在する水分が乾燥剤３３に吸収される。
【００３５】
なお、図４には下スペーサ３０ａの構成を例示したが、上スペーサ３０ｂ、サイドスペーサ３０ｃ，３０ｄも同様の構成を有する。すなわち、各スペーサ３０は、中空部３２、中空部３２に収納される乾燥剤３３、中空層２５と中空部３２とを連通する貫通孔３４を有する。
【００３６】
また、透明基板１１と透明基板１２との間の中空層２５は、周囲がスペーサ３０ａ，３０ｂ，３０ｃ，３０ｄに囲まれ、さらに一次シール材３６、二次シール材３７が図４に一例として示す位置に配置されることにより密閉されている。
【００３７】
一次シール材３６としては、例えば架橋処理されていないブチルゴム、もしくは、ポリイソブチレンをベースとし、着色と補強を目的としたカーボンブラック等のフィラーが含有されたもの等が用いられる。二次シール材３７としては、例えばポリサルファイド、シリコーン、ウレタン等の硬化性エラストマをベースとし、透明基板との接着性を発現するために適当な変性を加えられたもの等が使用される。図４に示す例では、透明基板１１，１２の端面が直角であるが、用途や組み立ての容易さ等に応じて、本実施形態とは異なる形状であってもよい。例えば、端面が斜めに面取りされていたり、ラウンド状に面取りされていてもよい。
【００３８】
この様に、透明基板１１と透明基板１２との間の中空層２５は、スペーサ３０、一次シール材３６及び二次シール材３７により密閉されている。そのため、中空層２５には、外部から塵埃等が入り込むことがない。また、中空層２５は、外部の温湿度等の環境変動の影響を受けにくく、スペーサ３０が有する乾燥剤３３により湿度が低く保たれている。したがって、中空層２５に設けられるディスプレイ２１，２２は、設置環境の変動が小さく、塵埃や結露等による水滴等が付着することもないため、故障する可能性が低減されている。
【００３９】
本実施形態に係る表示装置１００は、例えば鉄道車両内の天井にディスプレイ２１，２２の表示面がやや下向きになる様に設置され、中吊り広告の代わりに用いられる。ディスプレイ２１，２２の表示面がやや下向きに設置されることで、表示装置１００の直下付近にいる乗客からでもディスプレイ２１，２２に表示される画像が見易くなる。したがって、表示装置１００は、ディスプレイ２１，２２に例えば商品の宣伝広告画像、運行情報、各種ニュース等を表示し、広範囲の乗客に画像を見せることができる。
【００４０】
また、表示装置１００は、例えば図１に例示する状態から上下を反転させて店舗の机の上や会議机の上等に設置されてもよい。ディスプレイ２１，２２の表示面がやや上向きに設置されることで、表示装置１００の周囲の客や着席する会議参加者からディスプレイ２１，２２に表示される画像が見易くなる。
【００４１】
以上で説明した様に、本実施形態に係る表示装置１００によれば、例えば鉄道車両、店舗、会議机等に設けられる場合に限らず、見上げられる位置又は見下ろされる位置に設けられた場合にも、広い範囲に画像を見やすく表示できる。
【００４２】
また、ディスプレイ２１，２２は、透明基板１１及び透明基板１２の間の中空層２５に設けられているため、人や物に直接接触することがない。そのため、表示装置１００に人や物が接触しても、ディスプレイ２１，２２に与えられる衝撃は透明基板１１，１２により緩和される。この様にディスプレイ２１，２２が透明基板１１，１２により保護されているため、接触等による衝撃で表示装置１００が故障する可能性は低減されている。
【００４３】
さらに、ディスプレイ２１，２２が設けられている中空層２５は、スペーサ３０、一次シール材３６及び二次シール材３７により密閉されているため、外部から塵埃等が侵入することがない。また、中空層２５は、スペーサ３０が有する乾燥剤３３により湿度が低く保たれているため、温湿度の変化により内部が結露することがない。したがって、表示装置１００のディスプレイ２１，２２に塵埃や水滴等が付着することがなく、表示装置１００がこれらに起因して故障することがない。
【００４４】
この様に、表示装置１００は、両面に画像を表示して広範囲に各種情報を見せることが可能であり、衝撃や環境変動に対する耐性に優れ、長期に渡る使用が可能である。
【００４５】
以上、実施形態に係る表示装置、複層パネル及び複層パネル用スペーサについて説明したが、本発明は上記実施形態に限定されるものではなく、本発明の範囲内で種々の変形及び改良が可能である。
【符号の説明】
【００４６】
１１  透明基板（第１の透明基板）
１２  透明基板（第２の透明基板）
２１  ディスプレイ（第１のディスプレイ）
２２  ディスプレイ（第２のディスプレイ）
２５  中空層
３０  スペーサ
３１  ジョイント
３２  中空部
３３  乾燥剤
３４  貫通孔
４０  反射防止膜
１００  表示装置
【図１】
2015072304.tif 000003
【図２】
2015072304.tif 000004
【図３】
2015072304.tif 000005
【図４】
2015072304.tif 000006